(57)【要約】【課題】光源やその周辺機器のメンテナンスを簡便且つ迅速に行うことができる視線誘導装置を提供する。【解決手段】断面矩形を構成する前面板１、上面板２、背面板３及び下面板４の四辺の内、二辺が蓋体７となされて開放されることで、筐体内部が広く開放され、筐体内の光源やその周辺機器のメンテナンスを行うのが容易となり、また隣接する二辺がなす断面Ｌ字状が蓋体７となされていることで、筐体内部を迅速に開放でき、光源やその周辺機器のメンテナンスを簡便且つ迅速に行うことができる。【参照図】        図１【特許請求の範囲】
【請求項１】
前面板、上面板、背面板及び下面板により断面矩形が形成され、両側端に側面板が設けられて形成された筐体内に光源が収納され、前記筐体に設けられた窓部から該光源により発せられる光によって視線誘導が行われる視線誘導装置であって、前記筐体の断面矩形を構成する前面板、上面板、背面板及び下面板の内、隣接する二体が断面Ｌ字状で開閉自在の蓋体となされていることを特徴とする視線誘導装置。
【請求項２】
前記筐体は、設置時において下面板又は／及び背面板が取付対象物に対する設置面となされ、上面板及び前面板が前記蓋体となされたものであって、前記上面板には太陽電池装置が、前記前面板には前記窓部が設けられていることを特徴とする請求項１に記載の視線誘導装置。
【発明の詳細な説明】
【技術分野】
【０００１】
本発明は、道路側縁に設置され、道路利用者の視線を誘導する視線誘導装置に関するものである。
【背景技術】
【０００２】
導光板を用いて比較的広い面積を発光させて視線誘導を行う装置としては、例えば特許文献１には、透明材料からなり、少なくとも前面が鏡面処理された光出射面に構成されるとともに、この前面に対向する背面に光拡散手段が設けられた導光板と、この導光板の少なくとも一側端部に埋設又は近接して配設された光源とを備え、光源からの光を導光板の内部へ入射させて光出射面から出射するように構成されていることを特徴とする視線誘導灯が開示されている。
【０００３】
【特許文献１】特開２００３−４１５３３号公報
【発明の開示】
【発明が解決しようとする課題】
【０００４】
しかしながら、特許文献１に記載の如き従来の視線誘導装置では、光源のメンテナンス時にケーシングを取り外し、ケーシングから導光板ごと光源を引き抜くといった煩雑な作業が必要であり、光源やその周辺機器のメンテナンスを迅速に行うことができないという問題点があった。
【０００５】
本発明は上記の如き課題に鑑みてなされたものであり、光源やその周辺機器のメンテナンスを簡便且つ迅速に行うことができる視線誘導装置を提供せんとするものである。
【課題を解決するための手段】
【０００６】
上記目的を達成するため、本発明は以下のような構成としている。すなわち、本発明に係わる視線誘導装置は、前面板、上面板、背面板及び下面板により断面矩形が形成され、両側端に側面板が設けられて形成された筐体内に光源が収納され、前記筐体に設けられた窓部から該光源により発せられる光によって視線誘導が行われる視線誘導装置であって、前記筐体の断面矩形を構成する前面板、上面板、背面板及び下面板の内、隣接する二体が断面Ｌ字状で開閉自在の蓋体となされていることを特徴とするものである。
【０００７】
また前記筐体は、設置時において下面板又は／及び背面板が取付対象物に対する設置面となされ、上面板及び前面板が前記蓋体となされたものであって、前記上面板には太陽電池装置が、前記前面板には前記窓部が設けられていることを特徴とするものである。
【発明の効果】
【０００８】
請求項１に記載の本発明に係わる視線誘導装置によれば、断面矩形を構成する四辺の内、二辺が蓋体となされて開放されることで、筐体内部が広く開放され、筐体内の光源やその周辺機器のメンテナンスを行うのが容易となり、また隣接する二辺がなす断面Ｌ字状が蓋体となされていることで、筐体内部を迅速に開放することができ、光源やその周辺機器のメンテナンスを簡便且つ迅速に行うことができる。
【０００９】
また請求項２の発明によれば、太陽電池装置が設けられていることで外部電力に頼ることなく、又は頼る割合を少なくして光源を発光させることができるが、前面板と上面板の壁体を蓋体として開放できることで、前面側から蓋体の開放及び筐体内部のメンテナンスが可能となり、背面側からの作業が困難である場所に設置することができるようになり好ましい。
【発明を実施するための最良の形態】
【００１０】
本発明に係わる最良の実施の形態について、図面に基づき以下に具体的に説明する。
【００１１】
図１は、本発明に係わる視線誘導装置を示すもので、イ）が通常の状態、ロ）が蓋体を開放した状態を示す説明図である。まずイ）において、視線誘導装置１０は、前面板１、上面板２、背面板３、下面板４及び側面板５により形成された筐体の、前面板１に窓部１１が、上面板２に太陽電池６が設けられ、更に下面板４には取付対象物への取り付けを行う断面クランク状の取付金具Ｋが取り付けられて下面板４が設置面となされ、取付金具Ｋに穿設された取付孔Ｋ１を用いて視線誘導装置１０は取付対象物に取り付けられる。
【００１２】
筐体の断面矩形を形成し、断面Ｌ字状をなしている前面板１と上面板２とは開閉自在の蓋体７となされており、イ）内のビスＢ１により蓋体７は開放されないように固定されている。ロ）においてはビスＢが外されることで蓋体７が開放され、筐体内部は開放された状態となされている。蓋体７は、前面板１の下端部と下面板４前端との間に設けられたピポットヒンジＨにより両矢印Ｙ方向に回動自在となされており、筐体内には発光に係わる周辺機器Ｍと、太陽電池により生起された電力を蓄電し且つ放電する蓄電池Ｔが収納されている。開放された蓋体７は、前面板１側面の回動軸１２に取り付けられたストッパー１３により側面板５に伸縮自在に取り付けられることで、開閉の妨げとなることなく所定の開放角度で蓋体７を停止させることができる。背面板３及び側面板５の上端と側面板５の前端は内側に折り曲げられて鍔部３１及び５１が形成され、鍔部３１及び５１と、前面板１及び上面板２の内側とが当接されることで筐体の水密性が高められている。更に側面板５にはビス孔５２が穿設され、上面板２に設けられたビス孔２１とビス孔５２とにビスＢが挿通されてビス止めがなされる。
【００１３】
かかる構造の蓋体７により、断面矩形を形成する一辺のみの面を開放する場合と較べ、筐体内部が開放されるスペースは２倍程度となって作業が行いやすくなることで、筐体内部の光源やその周辺機器のメンテナンスは簡便且つ迅速なものとなり得る。また前面側からのみの作業でメンテナンスを行うことができ、背面側からの作業が困難である場所にも設置することができる。更には背面側への部材等の落下により不都合が起こるような場所に設置しても、メンテナンス作業時に背面板３及び側面板５により部材の落下が防止され、メンテナンスに係わる作業を安全に行うことができる。
【００１４】
図２は、図１のＡ−Ａ断面を示すもので、発光部周辺の詳細を示す断面図である。前面板１の窓部１１の内側には発光部８が備えられ、発光部８は、ＬＥＤである光源８１と、光源８１からの光が導入される透明なアクリル樹脂からなる導光板８２と、導光板８２内に導入された光を前面側に屈折及び反射させるＶ溝加工や金属蒸着がなされた光反射層８３と、導光板８２及び光反射層８３から前面側に放射させる光の光むらを軽減する半透明のアクリル樹脂からなる光拡散層８４と、光拡散層８４の前面側に配置され光拡散層８４からの光を透過すると共に導光板８２や光拡散部８４等を保護する透明なポリカーボネート樹脂からなる透明板８５と、凹部を備え光反射層８３の背面側に配置された収納板８６とを備え、光源８１、導光板８２、光反射層８３及び光拡散層８４は収納部８６に収納されると共に透明板８５と収納板８６とに挟まれて保持されている。前面板１の内面からはスタッドボルトＢ２が突設され、スタッドボルトＢ２が透明板８５、光拡散層８４、導光板８２、光反射層８３及び収納板８６の端部付近に挿通され、ナットＮ１が螺着されることで前記光源８１、導光板８２等が透明板８５と収納板８６とに挾まれて保持されると共に、発光部８は前面板１に取り付けられる。スタッドボルトＢ２が発光部８を構成する部材全てに挿通されナットＮ１が螺着されていることで、発光部８は一体感が高められてより強固に前面板１に取り付けられる。透明板８５と前面板１との間のスタッドボルトＢ２周辺には窓部１１周囲の全周に亘ってパッキンＰが挟み込まれ、窓部１１からの筐体内部への水分、塵埃等の侵入を防止するようになされている。
【００１５】
また前面板１の両端には、背面側に向けて折り返された折り返し部１４が設けられて端部がＬ字形状をなしており、側面板５とその鍔部５１がなすＬ字形状と嵌着されることで、蓋体７の閉鎖時における筐体内部への水分や塵埃等の侵入をより確実に防止することができ得る。また鍔部５１の前面にはパッキン材を設けておいてもよい。
【００１６】
かかる構造により、発光部８の光源８１や導光板８２等のメンテナンスを行う場合には、蓋体７を開放してナットＮ１を緩めて外し、収納板８６を取り外すことで光源８１及び導光板８２等に容易に接触することができ、発光部８のメンテナンスは簡便且つ迅速なものとなり得る。
【００１７】
図３は、図１のＢ−Ｂ断面を示すもので、上面板２の詳細を示す断面図である。上面板２についても前面板１と同様に窓部２２が設けられて太陽光の入射が行われるようになされ、窓部２２の内側に太陽電池装置６が配置される。太陽電池装置６は、太陽電池セル６１の周囲が透光性の合成樹脂６２に包囲されて太陽電池モジュールが形成され、その太陽電池モジュールが凹部を備えた収納板６３に収納されると共に、太陽電池モジュールの上面側に配置された透明板６４と収納板６３との間に挟まれて保持されている。上面板２の内側にはスタッドボルトＢ３が突設され、透明板６４及び収納板６３の端部にスタッドボルトＢ３が挿通されてナットＮ２が螺着されることで、太陽電池モジュールが透明板６４と収納板６３との間に挟まれて保持されると共に太陽電池装置６は上面板２に取り付けられる。上面板２の内面と透明板６４との間には、窓部２２の周囲全体に亘ってパッキンＰが設けられることで筐体内部への水分や塵埃等の侵入が防止されている。
【００１８】
また上面板２についても下方に向けて折り返し部２３が設けられてＬ字状形状となされ、前面板１の折り返し部１４と上面板２の折り返し部２３とはスポット溶接やはんだ付け等により一体の蓋体７が形成される。蓋体７の閉鎖時に、背面板３の鍔部３１と上面板２の折り返し部２３の、それぞれＬ字状形状同士が嵌合することで筐体内部への水分や塵埃等の侵入はより確実に防止でき得る。
【００１９】
更にかかる構造により、太陽電池装置６のメンテナンスを行う際にも、蓋体７を開放して、ナットＮ２を緩めて外し、収納板６３を取り外すことで容易に太陽電池モジュールに接触することができ、太陽電池装置６のメンテナンスも簡便且つ迅速なものとなり得る。
【００２０】
図４は、本発明に係わる視線誘導装置１０が適用された状態の一例を示す説明図である。本図は高速道路上に適用するものであり、車道Ｒの側縁に壁高欄Ｃが設けられ、擁壁Ｙ上に防音壁Ｗが設けられているが、壁高欄Ｃ上の防音壁Ｗの車道Ｒ側に、視線誘導装置１０が長手方向を車道Ｒ及び壁高欄Ｃの延設方向に沿わせて適宜間隔をおいて設置されたものである。視線誘導装置１０は発光により視線誘導を行うものであり、夜間においても高い視線誘導効果が期待できるが、発光部分の面積が大きく、また車道Ｒの延設方向に拡がりを持つものとなされていることで、車道Ｒを高速で走行する車両の運転者が遠近感を把握して道路の線形を認識し易くなり、視線誘導効果は更に高められることとなる。
【図面の簡単な説明】
【００２１】
【図１】本発明に係わる視線誘導装置の、実施の一形態を示す説明図である。
【図２】図１のＡ−Ａ断面図である。
【図３】図１のＢ−Ｂ断面図である。
【図４】本発明に係わる視線誘導装置の、適用の一例を示す説明図である。
【符号の説明】
【００２２】
１    前面板
１１  窓部
２    上面板
３    背面板
４    下面板
５    側面板
６    太陽電池装置
７    蓋体
８    発光部
８１  光源
１０  視線誘導装置
【図１】
2005307647.tif 000002
【図２】
2005307647.tif 000003
【図３】
2005307647.tif 000004
【図４】
2005307647.tif 000005